(57)【要約】      （修正有）【課題】食料品をスライスブレードの格子に押勢し通過させることにより薄切りするスライス装置を提供する。【解決手段】刻まれた食料品を保持するための下位容器と上部に一以上のブレードを含む食料品刻み器と薄切り器。容器の周りにぴったり及びスライド可能に嵌合するように構成された外側筺体とともに、押圧部は外側筺体内に固定される。筺体は押圧部がブレードに向かって下方に動くとき、押圧部は一般的に一直線で、垂直経路を進むようなガイドパスを形成する。【選択図】図２
0003171707.tif 000002
【実用新案登録請求の範囲】
【請求項１】
第一の側面と対向する第二の側面とともに開口部を定義する支持表面を有するブレード支持構造と、
前記開口部に架かり、及び互いに間隔を開ける複数のブレードを備え、
更に前記各ブレードは第一の端部と第二の端部を有し、
前記ブレードの前記各第一の端部は前記開口部の前記第一の側面に固定され、及び前記ブレードの前記各第二の端部は前記開口部の前記第二の側面に固定され、
更に前記各ブレードはV形の底部が前記支持表面下に延出する実質的に前記V形で構成され、
前記各ブレードは前記V形の内部表面を定義する先端を有し、
前記先端は鋭利である、スライス装置。
【請求項２】
前記ブレード支持構造は実質的に矩形である請求項１に記載のスライス装置。
【請求項３】
コンテナを備え、前記ブレード支持構造が前記コンテナに取外し可能に固定される請求項２に記載のスライス装置。
【請求項４】
前記ブレード支持構造上のしるしを備え、それにより前記しるしが前記コンテナに対して前記ブレード支持構造の方向を示す請求項３に記載のスライス装置。
【請求項５】
前記各ブレードは２つの部分で形成され、前記２つの部分は前記V形の前記底部に一緒に固定されている請求項２に記載のスライス装置。
【請求項６】
前記２つの部分は互いに溶接されている請求項４に記載のスライス装置。
【請求項７】
前記ブレード支持構造上のしるしを備え、それにより前記しるしが前記ブレード支持構造の方向を示すことからなる請求項２に記載のスライス装置。
【請求項８】
前記第一の複数の側面は内部空間と外部表面を定義し、コンテナは実質的に前記側面の中心に中央軸を有する、底部及び上部枠を形成する第一の複数の側面を有する前記コンテナと、
複数の開口部を定義する複数のブレードを有するブレードトレイであって、前記コンテナの前記内部空間の少なくとも一部に架かる前記ブレードトレイと、
第二の複数の側面は前記コンテナの前記外部表面に係合する前記内部表面を定義し、前記コンテナが筺体内に支持されるように前記筺体はサイズ化され及び構成され、更に前記筺体は前記コンテナに対して実質的に前記中央軸に沿う方向にスライド可能である、前記第二の複数の側面を有する前記筺体及び前記第二の複数の側面に架かる上部と、
押圧部は前記ブレードトレイにおいて定義される少なくとも一の前記複数の開口部内に支持されるようにサイズ化され鋭利化される一以上の突起を有する、前記筺体に着設される前記押圧部と、
からなるスライス装置。
【請求項９】
前記各第一の複数の側面は前記各第二の複数の側面に接する請求項８に記載のスライス装置。
【請求項１０】
前記ブレードトレイは前記コンテナに取外し可能に固定される請求項８に記載のスライス装置。
【請求項１１】
前記押圧部は前記筺体に取外し可能に固定される請求項８に記載のスライス装置。
【請求項１２】
前記押圧部は前記筺体内に一体的に形成される請求項８に記載のスライス装置。
【請求項１３】
前記コンテナは矩形立方体を形成する請求項８に記載のスライス装置。
【請求項１４】
前記コンテナの枠に着設されるフレームを備え、前記フレームは台座を定義する上方に延出するフランジを有し、前記ブレードトレイは前記台座内に保持される請求項８に記載のスライス装置。
【請求項１５】
前記フレームはタブを備え、前記ブレードトレイは凹部領域を備え、前記タブがサイズ化され前記凹部領域内にぴったり嵌合するように構成される請求項１４に記載のスライス装置。
【請求項１６】
前記フレームは前記フレームの一部に溝を備え、それにより前記フレームから前記ブレードトレイの離脱を促進するために前記溝が前記台座内に開口領域を形成する請求項１４に記載のスライス装置。
【請求項１７】
前記筺体は少なくとも一の前記上部から下方に延出する突起を備え、及び前記押圧部は少なくとも一の経路を備え、前記押圧部を前記筺体に固定するために、前記突起はサイズ化され前記経路内に支持されるように構成される請求項８に記載のスライス装置。
【請求項１８】
前記突起は三日月形である請求項１７に記載のスライス装置。
【請求項１９】
前記押圧部は支柱を備え、及び前記筺体は対応する溝を備え、前記押圧部を前記筺体に固定するために、前記支柱は前記溝内に支持される請求項１７に記載のスライス装置。
【請求項２０】
前記溝は前記筺体の上部を貫く内径である請求項１９に記載のスライス装置。
【請求項２１】
前記複数のブレードは中央ハブブレードと前記ハブから半径方向に延出する複数の実質的に一直線なブレードからなる請求項８に記載のスライス装置。
【請求項２２】
前記押圧部は配列マーキングを含む請求項8に記載のスライス装置。
【請求項２３】
前記筺体は透明な材料から形成され、それにより前記配列マーキングが前記筺体を介して可視可能である請求項８に記載のスライス装置。
【請求項２４】
少なくとも一の前記第二の複数の側面は、少なくとも一の前記側面の底部から前記筺体の上部に実質的に延出する開口部からなる請求項８に記載のスライス装置。
【請求項２５】
前記コンテナに接続される一組のガイドと、並びに、
前記筺体に固定された一組の支柱を備え、
前記各一組の支柱は、前記筺体が前記コンテナに対して実質的に前記中央軸に沿う方向にスライド可能であるように、それぞれ一の前記一組のガイドとスライド可能に係合される請求項８に記載のスライス装置。
【請求項２６】
前記各一組のガイドは中空円筒を備え、及び各前記一組の支柱はそれぞれ一のガイド内に支持される補完的な円筒からなる請求項２５に記載のスライス装置。
【請求項２７】
一組のバネを備え、各一の前記一組のバネはそれぞれ一の前記一組のガイド内に固定され、前記バネは前記支柱を上方に押勢するために構成され、それにより前記押圧部筺体が前記コンテナから押勢され離れる請求項２６に記載のスライス装置。
【請求項２８】
前記押圧部筺体に固定されるホック及び前記コンテナに固定される杭を備え、それにより前記押圧部筺体を前記コンテナの上部表面に固定するために、前記ホックが前記杭に係合可能である請求項２７に記載のスライス装置。
【請求項２９】
前記コンテナの前記側面に形成される一組の経路を備え、各一の前記一組のガイドはそれぞれ一の前記経路に固定される請求項２５に記載のスライス装置。
【請求項３０】
前記押圧部筺体は少なくとも一の下方に延出する突起を備え、前記押圧部は少なくとも一の経路を備え、前記押圧部を前記押圧部筺体に固定するために、前記突起はサイズ化され前記経路内に支持されるように構成される請求項２５に記載のスライス装置。
【考案の詳細な説明】
【技術分野】
【０００１】
本考案は食品スライス装置、特に食料品をスライスブレード(slicing blades)の格子に押勢し通過させることにより薄切りする装置に関する。
【背景技術】
【０００２】
玉葱などの食料品をスライスブレードのトレイ又は格子に押勢し通過させることにより薄切りする様々なスライス装置が売りに出されている。上記装置の例として、押圧部とスライス格子は互いに対して枢動可能であり、食料品を薄切りするために一つに合わさる。
【考案の開示】
【考案が解決しようとする課題】
【０００３】
一例では、複雑なレバー、バネ、又はギアーが関連し、それらの構成部分はコストと複雑さを増加させ、また装置の清掃をより煩雑にする。
【課題を解決するための手段】
【０００４】
本考案の好ましい例としては、容器の上部に一以上のブレードを有し、刻まれた食料品を保持する下部容器を含む。一形体では、上記容器は上部開口に架かるブレードの格子を保持する構成である上部が開口のコンテナである。外側筺体が容器周囲にぴったりとスライド可能に嵌合する構成であるとともに、押圧部は外側筺体内に固定される。
【０００５】
本考案の他のバージョンとしては、ブレードの格子は着脱可能で、直線形、ピラミッド形、Ｖ形、又は他のブレードタイプなどの一以上の異なる構造により置換えられる。
【０００６】
本考案の他例としては、押圧部は同様に着脱可能で、対応する置換えブレード構造と密接に一致する一以上の異なる構造により置換えられる。
【０００７】
それらと本考案の他例を以下で更に説明する。
【考案の効果】
【０００８】
本考案によれば、上記筺体は、押圧部の経路をブレードに向かって軸方向に下方へ移動しながら概して真直ぐ垂直方向に保つためにガイドパス（guide path）を形成する。
【図面の簡単な説明】
【０００９】
本考案の好ましい及び代替例を、下記図を参照に以下で詳しく説明する。
【図１】図１は、好ましい装置の斜視図である。
【図２】図２は、好ましい装置の分解図である。
【図３】図３は、好ましい装置の代替形の分解図である。
【図４】図４は、好ましい装置の代替形の分解図である。
【図５】図５は、好ましい装置に基づく筺体の断面斜視図である。
【図６】図6は、好ましい押圧部の斜視図である。
【図７】図７は、代替押圧部の斜視図である。
【図８】図８は、本考案の代替例の斜視図である。
【図９】図９は、図８で示す代替例の分解図である。
【図１０】図１０は、好ましいＶ形スライスブレードの斜視図である。
【図１１】図１１は、好ましいＶ形スライスブレードの側面図である。
【図１２】図１２は、Ｖ形スライスブレードとともに使用するための好ましい押圧部の側面図である。
【考案を実施するための最良の形態】
【００１０】
図１は、好ましいスライス装置１０の斜視図を示す。
【００１１】
図のように、外側押圧部筺体２０はコンテナ３０を囲む。本考案のこの例では、コンテナ３０は、底部、上方に延出する側面、上部開口（図２で最もよく見られる）を有する概して直方体である。押圧部筺体２０は対になる相補的な形であり、上記筺体がコンテナに対して上下にスライドできるために、筺体の内部表面がコンテナの外部表面をぴったり嵌合する。
【００１２】
図のように、筺体側面の内部はコンテナの大部分の外部と隣接し、密接な嵌合を形成するため、筺体が上下にスライドするようにコンテナを摩擦係合する。このバージョンでは、筺体とコンテナを互いに取り外せないようには拘持しないが、筺体がコンテナから上方に十分な距離引っ張られる場合、自由に取外せることができる。
【００１３】
本考案の他のバージョンでは、筺体とコンテナの他の形が使用される。例えば筺体とコンテナは、上記で説明したように類似し一致するつくりを形成するそれぞれ実質的に円筒形を有する場合がある。
【００１４】
他のバージョンでは、筺体は、コンテナの全ての外部表面に対して実質的に隣接する内部表面を有する必要はない。むしろ軌道又は他のガイドは、筺体がコンテナの中心を通過して上方に延出する軸に概して沿う進行路を進んでいるか確かめるために、個別の表面を形成する場合がある。
【００１５】
本考案の他のバージョンでは、筺体２０の上部表面は、筺体を下方に押すとき、ユーザの掌に当たる部分を提供するために上方に突出する。他のバージョンでは上部表面は平面である。
【００１６】
図２は、本考案の好ましい例の分解図を示す。図のようなコンテナ３０は上部開口の直方体容器である。他の材料を使用することもできるが、好ましくは、コンテナは透明なプラスチックから形成される。
【００１７】
フレーム４０は、コンテナ３０の上部開口の枠と実質的に同一な周囲を含み、よってフレームがコンテナの上部開口内にぴったりと支持されることを可能にする。フレームは下方に延出する脚と段部４１を形成する外側に延出するフランジ（flange）を含み、フレームがコンテナ内部に落ちず枠に適切に着座することを可能にする。フレーム４０とコンテナ３０は、好ましくはフレームがコンテナ内に摩擦保持されるよう、サイズ化され構成される。
【００１８】
他のバージョンでは、フレームがコンテナに接着又は貼り付けられる場合がある。更に、フレームの属性はコンテナと一体的に形成される場合がある。
【００１９】
フレーム４０は更に上方に延出する周辺フランジ４２を含む。他のバージョンでは、フランジ４２は実質的にフレームの周囲の周りに延出する場合がある。しかしながら例で示されるように、フランジ４２はフレームの反対側に、対向する側面部の一組として形成される。各対向する側面部の各先端に、リップ（lip）４４が対向する側面に向かって外側に突設する。側面部は以下で説明するブレードトレイ（blade tray）５０を保持する形状である台座を提供するため、フレームの水平な下位部から上方に延出する。
【００２０】
フレーム４０の一部は一以上の溝４６を任意で含む。図のように、溝は対向し上方に延出する側面の間において、延出する各フレーム部に設けられる。溝は、フレーム部材がブレードトレイに隣接しない領域を提供することにより、ブレードトレイ５０の取り外しを容易にする。
【００２１】
配列タブ（alignment tab）４３は、一つ又は両方の上方に延出するフランジ４２と一体的に形成される。図のように、配列タブは三日月形であり、側面の中央部からフレームの内部に向かって延出する。一致する配列タブは反対の側面に形成される。本考案の他のバージョンでは、配列タブは異なる形状で、またフレームの異なる位置に形成される場合がある。
【００２２】
図のように、ブレードトレイ５０は上記フレームにおいて定義された台座内に嵌合するようにサイズ化される外周を含む。よって好ましい例では、ブレードトレイは外周において実質的に正方形である。ブレードトレイ５０の外周は、ブレードトレイがフレーム内に相対的に摩擦嵌合を形成するように、フレームにおいて定義された台座に対して補完的な段部５４を形成する周辺フランジを含む。
【００２３】
陥凹領域５３はタブ４３と一致するようにサイズ化され形付けされるブレードトレイ５０の周辺位置に設けられる。よって、ブレードトレイが適切な方向で挿嵌されることを保証する。タブの位置と陥凹領域によって、ブレードトレイは一方向のみ又は一以上の方向に挿嵌するために構成される場合がある。
【００２４】
更にブレードトレイは、一以上のブレード５２を有する開口中央領域を含む。以下で詳しく説明するように、好ましくは、ブレードトレイはフレームから着脱可能で、よってブレードトレイは異なるブレード構成を有する異なるブレードトレイと交換可能である。
【００２５】
ブレードトレイの上部表面は、図で示す例では一組の矢印５１の形体である配列指示（alignment indictor）を含む。特定のブレードトレイと使用されている押圧部との間の方向が重要である事象（event）において、配列指示は押圧部６０が同一方向に容易に配列されるように、ブレードトレイの方向の視覚表示を提供する。押圧部６０は、ブレードトレイ内のブレード間を通過するためサイズ化され構成される下方に延出する一以上の突起（projection）６２を含む。
【００２６】
本考案の好ましい例では、押圧部６０は筺体２０の上部の内部表面に着脱可能に着設される。押圧部はスナップ式、摩擦式、又は他の方法で筺体に着設され、筺体内に着脱可能に保持されることが可能である。押圧部はほとんど着脱可能な付属品として構成されるけれども、本考案の他のバージョンでは、押圧部は取外せないように筺体に貼り付けられる又は筺体自身として一体的に形成される。
【００２７】
図のような構成では、押圧部は図６で最も良く示されるように、押圧部の押圧部突起６２とは反対の上方方向に延出する中柱（central pillar）６５を含む。上記中柱は三日月形経路として定義する二つの支柱６３と６４により囲まれている。筺体の内部表面は、図５で最も良く示されるように、押圧部を筺体内に保持し固定するための一致する構造を含む。したがって、一組の三日月形のステム（stem）又は突起２２と２３は上方の内部表面から下方に延出するように筺体内に備えられ、上記ステムは弧形の支柱６３と６４内の経路内に支持されるように構成する。
【００２８】
同様に、円筒形の溝２４は、中柱６５を支持するために筺体の上部の内部表面に構成される。溝は筺体から下方に延出する円形フランジとして、又は筺体の上部表面を完全に貫く内径として形成される。内径を組み込むバージョンにおいて、好ましくは、中柱の一部は内径を貫いて延出し、ユーザが直接押圧部の中柱に対して押すことを可能にする。
【００２９】
本考案の他のバージョンでは、多種多様の他構造は押圧部６０と筺体２０の間のスナップ式、摩擦、又は他の嵌合を提供可能にする。
【００３０】
本考案の一例では、筺体を介して押圧部を可視可能にするため、筺体２０は透明なプラスチック材料から形成される。更に、透明な材料は配列矢印６１を可視可能にし、ブレードトレイ５０の配列矢印５１と同一方法で方向付けされた押圧部６０の配列矢印６１とともに筺体が適切に方向付けされることを保証する。
【００３１】
筺体は任意的に一以上の側面に開口部２１を含む場合がある。図で示す例において、開口部２１は一の筺体側面の大部分の長さに沿って延出する高いアーチ形である。
【００３２】
本考案の好ましいバージョンでは、類似する開口部は同様に反対の側面に備えられる。本考案の他の例では、開口部は４つのすべての側面に備えられる場合があり、又は逆に、開口部は全く備えられない場合がある。2つの対向する開口部の包含は、筺体が配置された状態において、ユーザが食料品を調節するために薄切り器（slicer）の内部へアクセス可能にし、しかしながら、使用しているあいだ適切な配列を保証するために筺体の構造剛性を保持する。
【００３３】
図３は、図２のような類似する分解図を提供するが、ブレードトレイ５０は異なる。好ましいブレードトレイは下記で更に説明される。
【００３４】
図４で示されるように、記載されている刻み器（chopper）と薄切り器は、玉葱、林檎、又は刻まれ若しくは薄切りされることが好ましい他の物などの食料品などの物体を刻む若しくは薄切りするよう形状が構成されている。よって、ブレードトレイ５０がコンテナ３０の上のフレーム４０に着座されたとき、食料品７０はブレードトレイ５０の上に載置される。
【００３５】
押圧部の突起が食料品７０に隣接するように、押圧部６０が内部に固定された筺体２０はコンテナの周りに設置される。一般的にその時点で、コンテナの側面とそれらの筺体は互いに摩擦係合される。筺体の上部に圧力が掛けられ、コンテナに向かってそれが下方に押勢される。
【００３６】
同様の下方への圧力は押圧部を食料品に対して押動し、トレイ内で食料品がブレードにより薄切りされるために、食料品をブレードトレイに押し進める。押圧部の突起はブレードの下端を通り抜けて延出するよう構成される。それにより、食料品が完全にブレードを通るよう押し進める。筺体とコンテナの密接な嵌合は、ブレードに向かう及び通り抜ける、押圧部の滑らかな一直線の軌道を可能にする。
【００３７】
コンテナに対する筺体の一般的な進行路は垂直である。よって、コンテナは実質的にコンテナ側面の中心に位置する中央軸を定義する。コンテナが一直線の側面を有する場合、中央軸は側面と平行である。
【００３８】
コンテナは一様ではない、又は角度のついたサイドを有する場合があり、その場合好ましくは、中央軸はコンテナの底部に直交し垂直に延出する側面の中間に位置し、また実質的にコンテナの底部の中心である。筺体は、ヒンジ刻み装置とは異なり、実質的に中央軸に沿う進行路を進む。
【００３９】
ブレードトレイと押圧部の両方とも取外し可能であるから、それらは異なる形状の他のブレードトレイや押圧部と置換えられる場合がある。図２で図解されるバージョンでは、例えば、ブレードトレイは芯抜き器及び薄切り器として構成される。よって、ブレードトレイは、中央円形スライスハブブレードとそれぞれ実質的に一直線である８つの半径方向に延出するブレード５２を含む。好ましくは、各ブレードはステンレス鋼から形成される。
【００４０】
一致する押圧部６０は、個々の突起がサイズ化され、各８つのくさび状（wedges）の開口部と中心部により定義される開口部間で嵌合するように構成されるような突起６２を含む。図のような芯抜き器及び薄切り器ブレードトレイは、８つの薄片（slices）を形成するように設定されが、他のバージョンでは、例えば4つ又は6つのブレードを有し、４つ又は６つのくさび形の薄片を形成する。そのようなバリエーションの押圧部は同様に、対応するトレイに一致するようサイズ化された異なる数の突起を有する。
【００４１】
図3のバージョンでは、ブレードトレイ５０は円形のブレード開口部と、第一の端部が開口部の中心で結合され、第二の端部が開口部の周囲で結合される８つの半径方向に突起するブレード８０を含む。図のように、ブレードは周囲から中心に向かって下向きに角度がつけられ、円錐形のブレードの格子を形成し、ブレード間で８つのくさび形の開口部を定義する。対応する押圧部６０（図６で最もよく示される）は同様に、サイズ化され対応する開口部間で嵌合するように構成される８つの突起を有する。
【００４２】
他のバージョンでは、円錐形のブレードトレイは、例えば４つ又は６つの異なる数のブレードを含む場合があり、押圧部は対応する数の一致する突起を含む。
【００４３】
図4で描写されるブレードトレイは、それぞれ第一の端部８３がブレードトレイの一端に固定され、第二の端部８４がトレイの反対側の一端に固定される複数のV形ブレード８２を含む。V形ブレードトレイは更に図１０と図１１で図解される。ブレードは各端部から一般的にブレードの中心の位置に向かって下向きに角度がつけられ、V形を形成する。好ましくは、各ブレードの上部表面は薄切りを促進するために鋭利である。V形ブレードは、希望する幅の薄片を提供できるように縦方向に配列され、また間隔を開けられて、いくつでもブレードトレイに備えられる。
【００４４】
V形ブレードに対応する押圧部６０は図７と図１２で最もよく示され、また好ましくはサイズ化されV形ブレード間のスペース間で嵌合するように構成される複数の直線フランジ形押圧部突起６６を有する。好ましい形体では、側面から見えるように突起６６は一般的に矩形である。
【００４５】
図８の斜視図と図９の分解図において、スライス装置１００の代替例が示される。このバージョンでは、上記装置は取外し可能な底部トレイ１３２付きメインコンテナ１３０を含む。好ましくは、上記トレイ１３２は上記コンテナ１３０に対してスナップ式か摩擦式である。
【００４６】
コンテナ１３０の上部表面はブレードトレイ１５０を支承する。この他のバージョンにおいて、ブレードトレイは一般的に上述の先のバージョンと同様であり、食料品を粉々に薄切り又は刻むため構成される複数のブレードを含む。
【００４７】
示されていないが、ブレードトレイ１５０は、上述のように段部及び台座の配置、又はブレードトレイがコンテナにしっかり固定可能ないくらかの他の方法でコンテナ１３０の上部に固定される場合がある。更にブレードトレイ１５０は、ブレードトレイ１５０が異なる形状のブレードを有する他のブレードトレイと置換え可能にするために、コンテナ１３０に取外し可能に固定される。配列矢印又は他の指示は、ブレードトレイが正しい方向に挿入されることを保証するために任意的に提供される。
【００４８】
上述の例と同様の方法で、押圧部１６０はサイズ化されブレードトレイ１５０のブレード間を通過するように構成される、下方へ延出する突起を含む。押圧部はスナップ式、摩擦式、又は他の方法で押圧部筺体１２０に固定される。押圧部は、取外し可能又は希望する代替ブレードトレイと一致するように異なる構造を有する押圧部と置換え可能にするため、好ましくは筺体に取外し可能に固定される。示されていないが好ましい形状において、上述の他の実施例と同様の方法で、押圧部筺体は押圧部を筺体に固定する構造を含む。
【００４９】
他の代替構造において、押圧部筺体が外箱としてよりはむしろ蓋として配置されており、押圧部筺体１２０は先の構造の筺体２０と異なる。筺体１２０は一致するガイド１２４、１２５内でそれぞれ支持される一組の支柱１２２、１２３に固定される。図のような支柱とガイドは実質的に円筒断面形であり、しかしそれらは他に正方形、楕円形、又は他の形の場合がある。
【００５０】
使用において、支柱はガイド内でスライドするように支持され、筺体１２０をコンテナ１３０に対して上下にスライド可能にし、よって押圧部１６０がブレードトレイ１５０に対して下方に押動可能に、及びブレードトレイから垂直に取外し可能にする。ガイド内での支柱の密接な摩擦嵌合は、ブレードトレイ内での押圧部突起の密接な配列を保証する。図解される好ましい形体では、支柱はガイド内で支持される。他に、装置はガイドが支柱内で支持されるよう形成される場合がある。
【００５１】
図のような他のバージョンでは、ガイド１２４、１２５はコンテナ１３０とは別に形成され、コンテナの側面に形成されるコンテナの経路内に固定される。図８では、第一の経路は可視可能であり、しかし反対側の経路は可視不可能である。ガイドは摩擦式、スナップ式、螺合され固定、接着、又は経路内で固定される場合がある。
【００５２】
本考案の他の例では、ガイドはコンテナ内で一体的に形成され、直に支柱を支持する。図のようなバージョンでは、単体の支柱が使用される。他のバージョンでは、複数の嵌め込み支柱が使用される場合がある。
【００５３】
好ましくは、コイルバネ（coil spring）は各ガイド１２４，１２５内に備えられ、バネ１２８（一部切り取りにより示される）の一端がガイドの下部表面に係合し、反対側の一端が支柱の下部表面に係合する。この方法では、バネが支柱を上方へ押勢し、コンテナ１３０とブレードトレイ１５０から押圧部筺体１２０を押動する。
【００５４】
収納のために、旋回アーム上のホック（hook）１７０と杭（peg）１７２は備えられる。ホック１７０は押圧部筺体の表面上に枢着し、コンテナに向かって下方に枢動するように構成される。杭１７２はコンテナの外側表面上に備えられ、下方に枢動されるときホックが杭と係合するように位置される。よって、バネの押し上げ力にもかかわらず、ホックはコンテナに対して押圧部筺体を保持し、図8のようなよりコンパクトな収納のためにブレードトレイを覆う。装置の使用のため、ホック１７０は、アームの内部表面がくぼみに係合し、図９のようなアームを上方位置に保持する位置に回転される。
【００５５】
上述のように薄切り装置及び刻み装置は様々なブレード構成で使用される場合がある。例えば、図２のように、芯抜きと薄切りのために構成されたブレードを有するブレードトレイ５０が使用される場合がある。異なるブレード構成は図３で示される。V形構成は上述のように図４と図９から図１１で示される。各個々のブレード８２は、留められる又はステンレス鋼から形成される単一の単体片として形成される場合がある。
【００５６】
他には、V形の底部に溶接又は継合される個々のセクション８２、８３として形成される場合がある。V形は、ブレードトレイ上の支持表面の下に延出するV形の底部を含む。V形の上部又は内部表面は鋭利な先端を形成するが、一方、反対側又は下側の端部は鋭利ではない。
【００５７】
ブレードの表面の大部分が、最初の接触で玉葱の表面に接触するから、玉葱を薄切りにするのに必要な力を軽減させるので、Vブレードは玉葱などの丸い物体を薄切りするのに特に適している。
【００５８】
本考案の好ましい実施形態を上述のように詳細に説明したが、本考案の趣旨および範囲を逸脱しないかぎり、様々な変更および改質がなされ得る。従って本考案は好ましい実施形態の開示のみに限られない。本考案の趣旨および範囲は、請求項の参照によってのみ決定される。
【図１】
0003171707.tif 000003
【図２】
0003171707.tif 000004
【図３】
0003171707.tif 000005
【図４】
0003171707.tif 000006
【図５】
0003171707.tif 000007
【図６】
0003171707.tif 000008
【図７】
0003171707.tif 000009
【図８】
0003171707.tif 000010
【図９】
0003171707.tif 000011
【図１０】
0003171707.tif 000012
【図１１】
0003171707.tif 000013
【図１２】
0003171707.tif 000014
0003171707.tif 000015
0003171707.tif 000016
0003171707.tif 000017
0003171707.tif 000018
0003171707.tif 000019
【手続補正書】
【提出日】平成23年8月15日(2011.8.15)
【手続補正１】
【補正対象書類名】実用新案登録請求の範囲
【補正対象項目名】請求項１
【補正方法】変更
【補正の内容】
【請求項１】
所定の平面方向に延びるブレード支持構造であって、前記所定の平面方向に直交する方向に延びる第一の内側面と、前記第一の内側面に対向し、かつ前記所定の平面方向に直交する方向に延びる第二の内側面とを備える開口部が形成される支持表面を有するブレード支持構造と、
前記開口部に架かり、及び互いに間隔を開ける複数のブレードを備え、
更に前記各ブレードは第一の端部と第二の端部を有し、
前記ブレードの前記各第一の端部は前記開口部の前記第一の内側面に固定され、及び前記ブレードの前記各第二の端部は前記開口部の前記第二の内側面に固定され、
更に前記各ブレードはV形の底部が前記支持表面下に延出する実質的に前記V形で構成され、
前記各ブレードは前記V形の内部表面を定義する先端を有し、
前記先端は鋭利である、スライス装置。
【手続補正２】
【補正対象書類名】実用新案登録請求の範囲
【補正対象項目名】請求項６
【補正方法】変更
【補正の内容】
【請求項６】
前記２つの部分は互いに溶接されている請求項５に記載のスライス装置。
【手続補正３】
【補正対象書類名】実用新案登録請求の範囲
【補正対象項目名】請求項８
【補正方法】変更
【補正の内容】
【請求項８】
所定の方向に延びる筒形状を有するコンテナであって、底部、及び前記所定の方向に延びるとともに上部枠を形成し外部空間から前記コンテナ内の内部空間を仕切る第一の複数の側面を備えるコンテナであり、前記コンテナは実質的に前記第一の複数の側面の中心に中央軸を有するコンテナと、
複数の開口部を定義する複数のブレードを有するブレードトレイであって、前記コンテ
ナの前記内部空間の少なくとも一部に架かる前記ブレードトレイと、
第二の複数の側面は前記コンテナの前記外部表面に係合する前記内部表面を定義し、前
記コンテナが筺体内に支持されるように前記筺体はサイズ化され及び構成され、更に前記
筺体は前記コンテナに対して実質的に前記中央軸に沿う方向にスライド可能である、前記
第二の複数の側面を有する前記筺体及び前記第二の複数の側面に架かる上部と、
押圧部は前記ブレードトレイにおいて定義される少なくとも一の前記複数の開口部内に
支持されるようにサイズ化され鋭利化される一以上の突起を有する、前記筺体に着設され
る前記押圧部と、
からなるスライス装置。
【手続補正４】
【補正対象書類名】実用新案登録請求の範囲
【補正対象項目名】請求項２３
【補正方法】変更
【補正の内容】
【請求項２３】
前記筺体は透明な材料から形成され、それにより前記配列マーキングが前記筺体を介し
て可視可能である請求項２２に記載のスライス装置。
【手続補正５】
【補正対象書類名】実用新案登録請求の範囲
【補正対象項目名】請求項２７
【補正方法】変更
【補正の内容】
【請求項２７】
一組のバネを備え、各一の前記一組のバネはそれぞれ一の前記一組のガイド内に固定され、前記バネは前記支柱を上方に押勢するために構成され、それにより前記上部である押圧部筺体が前記コンテナから押勢され離れる請求項２６に記載のスライス装置。
【手続補正６】
【補正対象書類名】実用新案登録請求の範囲
【補正対象項目名】請求項３０
【補正方法】変更
【補正の内容】
【請求項３０】
前記上部である押圧部筺体は少なくとも一の下方に延出する突起を備え、前記押圧部は少なくとも一の経路を備え、前記押圧部を前記押圧部筺体に固定するために、前記突起はサイズ化され前記経路内に支持されるように構成される請求項２５に記載のスライス装置。